(57)【要約】【課題】ＣＡＴＶシステムを構成する電子機器の動作状態を監視して異常発生時に管理者側の電話端末に通報するＣＡＴＶ監視制御装置において、管理者側からの要求に応えてシステムの状態を通報できるようにする。【解決手段】ＣＡＴＶ監視制御装置は、ヘッドアンプからの信号出力レベルを測定する測定装置１０と、測定装置１０の測定結果が正常か否かを判定する制御装置２０と、制御装置２０による判定結果に従いシステム異常を管理者側の監視用電話端末に通報する通報装置３０とを備える。また、通報装置３０は、監視用電話端末から呼び出されると、その端末を認証した後、端末からの要求を受け付け、その要求に従い、制御装置２０による監視結果の送信、制御装置２０の再起動、バックアップ電源３８の内蔵バッテリの放電等を行う。このため、管理者は、監視結果の再確認及び監視制御装置の動作チェックを簡単に行うことができる。【選択図】　図１
2004048666.tif 000002
【特許請求の範囲】
【請求項１】
ＣＡＴＶシステムを構成する電子機器の動作状態を監視し、該電子機器が正常動作しているか否かを判定する監視手段と、
公衆電話回線を介して他の電話端末との間で通信可能な通報用電話端末と、
前記監視手段にて電子機器の異常が判定されるか又は該監視手段による判定結果が変化すると、その旨を表す情報を前記通報用電話端末からシステム管理者側の監視用電話端末に送信させる通報制御手段と、
前記通報用電話端末が電話回線を介して外部電話端末から呼び出しを受けると、外部電話端末が前記システム管理者側の監視用電話端末か否かを判定し、該外部電話端末が前記監視用電話端末であれば、前記監視手段による監視結果を表す情報を前記通報用電話端末から前記監視用電話端末に送信させる着信制御手段と、
を備えたことを特徴とするＣＡＴＶ監視制御装置。
【請求項２】
前記着信制御手段は、前記通報用電話端末が電話回線を介して外部電話端末から呼び出しを受けると、外部電話端末に接続し、その後、該外部電話端末から送信されてくる識別情報に基づき、外部電話端末が前記システム管理者側の監視用電話端末か否かを判定することを特徴とする請求項１に記載のＣＡＴＶ監視制御装置。
【請求項３】
前記着信制御手段は、前記通報用電話端末が電話回線を介して外部電話端末から呼び出しを受けると、その呼び出し時間に基づき、外部電話端末が前記システム管理者側の監視用電話端末か否かを判定することを特徴とする請求項１に記載のＣＡＴＶ監視制御装置。
【請求項４】
前記着信制御手段は、
前記通報用電話端末を呼び出した外部電話端末が前記監視用電話端末であるか否かを判断する電話端末判定手段と、
該電話端末判定手段にて前記外部電話端末が前記監視用電話端末であると判断されると、その後、該監視用電話端末と前記通報用電話端末との通信時間、又は該監視用電話端末から送信されてくる要求信号に基づき、システム管理者からの指令内容を識別する指令内容識別手段と、
該指令内容識別手段にて識別された指令内容が情報の送信指令である場合に、前記監視手段による監視結果を表す情報を、前記通報用電話端末から前記監視用電話端末に送信させる情報送信手段と、
前記指令内容識別手段にて識別された指令内容が再起動指令である場合に、前記監視手段を再起動して前記監視結果を初期化させる再起動手段と、
を備えたことを特徴とする請求項１〜請求項３の何れかに記載のＣＡＴＶ監視制御装置。
【請求項５】
前記通報制御手段は、前記監視手段の起動後に、その旨を表す情報を前記通報用電話端末から前記監視用電話端末に送信させることを特徴とする請求項４に記載のＣＡＴＶ監視制御装置。
【請求項６】
外部電源から当該装置に電源供給がなされているときに外部電源からの供給電力により充電されるバッテリを内蔵し、外部電源から当該装置への給電が遮断された際に、該バッテリからの電源供給によって、少なくとも前記通報用電話端末、前記通報制御手段、及び前記着信制御手段を動作させるバックアップ電源を備え、
前記通報制御手段は、前記外部電源から当該装置への給電が遮断されると、その旨を表す情報を前記通報用電話端末から前記監視用電話端末に送信させることを特徴とする請求項４又は請求項５に記載のＣＡＴＶ監視制御装置。
【請求項７】
外部電源から当該装置に電源供給がなされているときに外部電源からの供給電力により充電されるバッテリを内蔵し、外部電源から当該装置への給電が遮断された際に、該バッテリからの電源供給によって、少なくとも前記通報用電話端末、前記通報制御手段、及び前記着信制御手段を動作させるバックアップ電源を備え、
前記通報制御手段は、前記外部電源から当該装置への給電が遮断されると、その旨を表す情報を前記通報用電話端末から前記監視用電話端末に送信させることを特徴とする請求項１〜請求項３の何れかに記載のＣＡＴＶ監視制御装置。
【請求項８】
前記着信制御手段は、
前記通報用電話端末を呼び出した外部電話端末が前記監視用電話端末であるか否かを判断する電話端末判定手段と、
該電話端末判定手段にて前記外部電話端末が前記監視用電話端末であると判断されると、その後、該監視用電話端末と前記通報用電話端末との通信時間、又は該監視用電話端末から送信されてくる要求信号に基づき、システム管理者からの指令内容を識別する指令内容識別手段と、
該指令内容識別手段にて識別された指令内容が情報の送信指令である場合に、前記監視手段による監視結果を表す情報を、前記通報用電話端末から前記監視用電話端末に送信させる情報送信手段と、
前記指令内容識別手段にて識別された指令内容が前記バッテリの容量確認指令である場合に、前記バックアップ電源への給電経路を遮断して、前記バッテリを放電させるバッテリ給電遮断手段と、
を備え、更に、
前記バッテリ給電遮断手段が前記バックアップ電源への給電経路を遮断すると、その後、前記バッテリの放電に伴い前記通報用電話端末が動作停止状態になるのを監視し、前記通報用電話端末が動作停止状態になると前記バックアップ電源への給電経路を接続して、前記通報用電話端末を動作状態に復帰させると共に、該通報用電話端末から前記バッテリの放電が完了した旨を表す情報を前記監視用電話端末に送信させるバッテリ放電監視制御手段、
を設けたことを特徴とする請求項７に記載のＣＡＴＶ監視制御装置。
【請求項９】
前記通報用電話端末は、無線電話回線を介して外部電話端末との間で通信を行う無線電話端末であることを特徴とする請求項１〜請求項８の何れかに記載のＣＡＴＶ監視制御装置。
【請求項１０】
前記通報用電話端末は、前記監視用電話端末に送信する情報として音声メッセージが記憶された記憶媒体を有し、情報送信時には、該記憶媒体に記憶された音声メッセージを再生することにより、前記情報を音声にて通報することを特徴とする請求項１〜請求項９の何れかに記載のＣＡＴＶ監視制御装置。
【請求項１１】
請求項１〜請求項１０の何れかに記載のＣＡＴＶ監視制御装置を備えたことを特徴とするＣＡＴＶシステム。
【発明の詳細な説明】
【０００１】
【発明の属する技術分野】
本発明は、ＣＡＴＶシステムのヘッドエンドに設けられるヘッドアンプや伝送線上に配置される増幅器等の各種電子機器の動作状態を監視し、異常時には、その旨をシステム管理者に通報するＣＡＴＶ監視制御装置及びこの装置を備えたＣＡＴＶシステムに関する。
【０００２】
【従来の技術】
従来より、この種のＣＡＴＶ監視制御装置としては、ＣＡＴＶシステムの増幅器の出力レベルを測定して、その出力レベルが設定範囲から外れた場合に、その旨を表す異常信号を、ＣＡＴＶシステムで伝送可能な放送チャンネルの空きチャンネルを利用して、端末側に伝送するようにした装置が知られている（例えば、特許文献１参照）。
【０００３】
【特許文献１】
特開昭５４−１１６２９号公報
【０００４】
【発明が解決しようとする課題】
しかし、こうした監視制御装置では、ＣＡＴＶシステムの管理者が常時空きチャンネルをモニタして、ＣＡＴＶシステムの増幅器等に異常が無いか否かを監視しなければならず、監視が極めて面倒であった。
【０００５】
また、ＣＡＴＶシステムの管理者がＣＡＴＶシステムのサービスエリア内に居住していない場合には、システム管理者は、異常信号の放送チャンネルをたまたま選局した加入者からの通報を待つしかなく、システム管理者は、増幅器等の異常を速やかに知ることができないという問題もあった。
【０００６】
一方、こうした問題は、監視制御装置内に電話端末を設け、増幅器等の異常時には、電話回線を介して、直接、システム管理者側の電話端末に異常を通報するようにすれば解決できる。
しかし、従来のＣＡＴＶ監視制御装置は、増幅器等の異常を、システム管理者側に一方的に通報するものであることから、電話回線を使ってシステム管理者に異常を直接通報するようにしても、システム管理者が電話端末付近にいない場合や、電話端末付近にいても通報を確認できなかった場合には、システム管理者にシステムの異常を通報することができなくなってしまう。
【０００７】
本発明は、こうした問題に鑑みなされたもので、ＣＡＴＶシステムを構成する電子機器の動作状態を監視して異常発生時に管理者側の電話端末に通報するＣＡＴＶ監視制御装置において、システム管理者からの要求に応えて監視対象機器の状態を通報できるようにすることを目的とする。
【０００８】
【課題を解決するための手段及び発明の効果】
かかる目的を達成するためになされた請求項１に記載のＣＡＴＶ監視制御装置においては、監視手段が、ＣＡＴＶシステムを構成する電子機器（ヘッドエンドに設けられるヘッドアンプや伝送線上に設けられる増幅器等）の動作状態を監視し、電子機器が正常動作しているか否かを判定する。そして、監視手段により電子機器の異常が判定されるか又は監視手段による判定結果が変化すると、通報制御手段が、その旨を表す情報を、通報用電話端末からシステム管理者側の監視用電話端末に送信させる。
【０００９】
このため、本発明のＣＡＴＶ監視制御装置によれば、システム管理者は、監視用電話端末を利用して電子機器（延いてはＣＡＴＶシステム）の異常（若しくは異常及び異常から正常への復帰）を速やかに検知し、システム復旧のための手配を速やかに行うことができる。
【００１０】
しかし、通報制御手段は、システムに異常が発生したときに、システム管理者側の監視用電話端末にその旨を表す情報を一方的に送信するだけであることから、システム管理者がその通報を確認しなければ、システム管理者にシステムの異常を伝えることができない。
【００１１】
そこで、本発明では、システム管理者が必要に応じてシステムの状態を確認できるように、ＣＡＴＶ監視制御装置に、更に、着信制御手段を設けている。
即ち、この着信制御手段は、通報用電話端末が電話回線を介して外部電話端末から呼び出しを受けた際に、外部電話端末がシステム管理者側の監視用電話端末か否かを判定し、外部電話端末が監視用電話端末であれば、監視手段による監視結果を表す情報を通報用電話端末から監視用電話端末に送信させる。
【００１２】
この結果、システム管理者は、ＣＡＴＶ監視制御装置からの通報を確認できなかった場合や監視用電話端末から離れていた場合でも、監視用電話端末を利用してＣＡＴＶ監視制御装置側の通報用電話端末に電話をかけることにより、監視手段による監視結果（つまり、現在のシステムの状態）を簡単に知ることができる。
【００１３】
また、本発明によれば、システム管理者は、ＣＡＴＶ監視制御装置が設置された場所（一般にヘッドエンド）まで行くことなく、システムの状態を把握できるので、極めて便利であり、特に、山間地の電波障害対策のために構築された単方向のＣＡＴＶシステムにおいては、その効果を極めて有効に発揮できる。
【００１４】
つまり、こうした単方向のＣＡＴＶシステムでは、ＣＡＴＶ監視制御装置を含むヘッドエンドが山頂等の辺鄙な場所に設置されることから、システム管理者がヘッドエンドまで行ってヘッドアンプ等の動作状態を確認するのは極めて面倒であったが、こうしたシステムに本発明を適用すれば、システム管理者は、ヘッドエンドまで行くことなく、いつでもヘッドアンプ等の動作状態を確認できることから、システム管理のための作業を極めて簡単に行うことができ、延いては、ＣＡＴＶシステムの管理に要するコストを低減できる。
【００１５】
また、通報用電話端末が電話回線を介して外部電話端末から呼び出しを受けた際に、着信制御手段は、外部電話端末がシステム管理者側の監視用電話端末か否かを判定するのであるが、具体的には、通報用電話端末が電話回線を介して外部電話端末から呼び出しを受けた際には、請求項２に記載のように、外部電話端末に接続し、その後、外部電話端末から送信されてくる識別情報に基づき、外部電話端末が前記システム管理者側の監視用電話端末か否かを判定してもよいし、請求項３に記載のように、外部電話端末には接続せずに、その呼び出し時間に基づき、外部電話端末がシステム管理者側の監視用電話端末か否かを判定してもよい。
【００１６】
このようにすれば、システム管理者以外により、ＣＡＴＶ監視制御装置が操作されることを確実に防止することができる。
特に、請求項３に記載のＣＡＴＶ監視制御装置であれば、識別情報を送信できない外部電話端末からの操作であっても、呼び出し時間に基づき外部電話端末が監視用電話端末か否かを判定するので、通報用電話端末を呼び出した外部電話端末が、システム管理者側の監視用電話端末か否かを確実に判定することができる。
【００１７】
ところで、本発明によれば、監視手段が何等かの異常によって監視動作を正常に実行できなくなった場合、システム管理者は、ＣＡＴＶ監視制御装置からの誤通報若しくはＣＡＴＶ監視制御装置に電話をかけて得られる情報から、その旨を検知することができる。そして、このようにＣＡＴＶ監視制御装置の異常を検知した場合、システム管理者は、ＣＡＴＶ監視制御装置が設置された場所まで行って、ＣＡＴＶ監視制御装置を正常に復旧させることになる。
【００１８】
しかし、監視手段の誤動作は、監視手段を構成する電子部品の破損、信号線の断線、といった監視手段のハード的な故障によって生じる場合だけでなく、監視手段を構成するロジック回路へのノイズの混入、或いは、監視手段を構成するＣＰＵの暴走等によっても生じる。そして、ノイズの混入やＣＰＵの暴走等によって監視手段が誤動作した際には、監視手段への電源の再投入等により、監視手段を再起動すれば解消できる。
【００１９】
従って、システム管理者がＣＡＴＶ監視制御装置からの誤通報若しくはＣＡＴＶ監視制御装置に電話をかけて得られる情報からＣＡＴＶ監視制御装置（詳しくは監視手段）の誤動作を検知した際には、監視用電話端末を利用して、監視手段を再起動できるようにするとよく、そのためには、請求項４に記載のように、着信制御手段を、電話端末判定手段と、指令内容識別手段と、情報送信手段と、再起動手段とから構成するとよい。
【００２０】
即ち、請求項４に記載のＣＡＴＶ監視制御装置において、着信制御手段は、通報用電話端末が外部電話端末から呼び出されると、まず、電話端末判定手段により、その外部電話端末が監視用電話端末であるか否かを判断し、外部電話端末が監視用電話端末であれば、指令内容識別手段により、その後、該監視用電話端末と前記通報用電話端末との通信時間、又は監視用電話端末から送信されてくる要求信号に基づき、システム管理者からの指令内容を識別する。そして、指令内容識別手段にて識別された指令内容が情報の送信指令であれば、情報送信手段の動作によって、監視手段による監視結果を表す情報を通報用電話端末から監視用電話端末に送信させ、指令内容が再起動指令であれば、再起動手段によって、監視手段を再起動して監視結果を初期化させる。
【００２１】
従って、請求項４に記載のＣＡＴＶ監視制御装置によれば、システム管理者は、監視用電話端末を操作して、ＣＡＴＶ監視制御装置側の通報用電話端末に再起動指令を送信すれば、ＣＡＴＶ監視制御装置側の監視手段を再起動させることができる。
【００２２】
つまり、システム管理者は、ＣＡＴＶ監視制御装置からの誤通報若しくはＣＡＴＶ監視制御装置に電話をかけて得られる情報から監視手段の誤動作を検知した際に、監視手段を遠隔操作によって再起動させることができ、この再起動によっても監視手段が正常に復帰しない場合にだけ、修理のためにＣＡＴＶ監視制御装置の設置場所まで出向けばよく、ＣＡＴＶ監視制御装置の復旧作業を効率よく行うことが可能となる。
【００２３】
尚、請求項４に記載のように、システム管理者が遠隔操作によって監視手段を再起動した場合、システム管理者が、その再起動の結果を確認できるようにするとよく、このためには、ＣＡＴＶ監視制御装置を、請求項５に記載のように構成するとよい。
【００２４】
つまり、請求項５に記載のＣＡＴＶ監視制御装置においては、通報制御手段が、監視手段の起動後に、その旨を表す情報を通報用電話端末から監視用電話端末に送信させる。このため、システム管理者は、監視手段を再起動させるために、監視用電話端末から通報用電話端末に再起動指令を送信した後、通報用電話端末からの応答を待つことにより、監視手段が再起動できたか否かを確認できるようになり、システム管理者にとってより使い勝手のよいＣＡＴＶ監視制御装置を提供できることになる。
【００２５】
一方、ＣＡＴＶ監視制御装置は、停電により動作できなくなった際には、その旨を、システム管理者に報知できるようにするとよく、このためには、請求項６又は請求項７に記載のように、ＣＡＴＶ監視制御装置にバックアップ電源を設け、外部電源から当該装置への給電が遮断された際には、通報制御手段がその旨（つまり停電）を表す情報を通報用電話端末から監視用電話端末に送信させるように構成するとよい。
【００２６】
つまり、ＣＡＴＶ監視制御装置をこのように構成すれば、システム管理者は、ＣＡＴＶ監視制御装置が設置された地域の停電をＣＡＴＶ監視制御装置からの通報若しくはＣＡＴＶ監視制御装置への問い合わせにより検知できることから、ＣＡＴＶシステムの加入者からテレビが見られない等の苦情があった場合に、その理由（停電による伝送信号の停波等）を適切に説明できるようになり、システム管理者にとって、使い勝手のよいＣＡＴＶ監視制御装置を実現できることになる。
【００２７】
ところで、このように、ＣＡＴＶ監視制御装置にバックアップ電源を設けた場合、バックアップ電源を構成するバッテリが劣化し、それに蓄積可能なバックアップ電力が低下すると、バックアップ電源による機能を充分発揮することができなくなり、場合によっては、システム管理者側の監視用電話端末に対して、停電を通報することができなくなる。
【００２８】
そこで、請求項７に記載のＣＡＴＶ監視制御装置においては、更に、請求項８に記載のように、着信制御手段を、電話端末判定手段と、指令内容識別手段と、情報送信手段と、バッテリ給電遮断手段とから構成し、更に、通報制御手段を、バッテリ給電遮断手段によるバッテリの放電終了後に、その旨を表す情報を通報用電話端末から監視用電話端末に送信させるよう構成するとよい。
【００２９】
つまり、請求項８に記載のＣＡＴＶ監視制御装置において、着信制御手段は、上述した請求項４に記載のものと同様、通報用電話端末が外部電話端末から呼び出されると、まず、電話端末判定手段により、その外部電話端末が監視用電話端末であるか否かを判断し、外部電話端末が監視用電話端末であれば、指令内容識別手段により、監視用電話端末と通報用電話端末との通信時間、又は監視用電話端末から送信されてくる要求信号に基づき、システム管理者からの指令内容を識別し、指令内容識別手段にて識別された指令内容が情報の送信指令であれば、情報送信手段の動作によって、監視手段による監視結果を表す情報を通報用電話端末から監視用電話端末に送信させる。
【００３０】
また、着信制御手段は、指令内容識別手段にて識別された指令内容がバッテリの容量確認指令であれば、バッテリ給電遮断手段の動作によって、バックアップ電源への給電経路を遮断して、バッテリを放電させる。そして、このようにバッテリ給電遮断手段がバックアップ電源への給電経路を遮断すると、バッテリ放電監視制御手段が、バッテリの放電に伴い通報用電話端末が動作停止状態になるのを監視し、通報用電話端末が動作停止状態になるとバックアップ電源への給電経路を接続して通報用電話端末を動作状態に復帰させ、更に、通報用電話端末からバッテリの放電が完了した旨を表す情報を監視用電話端末に送信させる。
【００３１】
このため、請求項８に記載のＣＡＴＶ監視制御装置によれば、システム管理者が、バックアップ電源に内蔵されたバッテリの容量を確認したい場合には、監視用電話端末を操作して、ＣＡＴＶ監視制御装置側の通報用電話端末に容量確認指令を送信すればよい。つまり、このようにすると、ＣＡＴＶ監視制御装置側で、バックアップ電源への電源供給が遮断されて、バッテリの放電が開始され、バッテリの放電完了後は、その旨を表す情報が、通報用電話端末からシステム管理者側の監視用電話端末に送信させてくるので、システム管理者は、バッテリの容量確認指令をＣＡＴＶ監視制御装置に送信してから、ＣＡＴＶ監視制御装置から放電完了を表す情報が送信されてくるまでの時間を計時することにより、バッテリの放電に要する時間、延いては、バッテリの容量を確認することができるようになる。
【００３２】
従って、請求項８に記載のＣＡＴＶ監視制御装置によれば、システム管理者は、バックアップ電源に内蔵されたバッテリの容量を遠隔操作によって確認することができるようになり、バッテリの交換時期を極めて簡単に予測することができる。
【００３３】
尚、上述した請求項４、請求項５に記載の発明と、請求項８に記載の発明とは、互いに組み合わせることができる。そして、これらを組み合わせれば、これら各発明で個々に発揮し得る上述の効果を、一つのＣＡＴＶ監視制御装置で実現できることになる。
【００３４】
一方、本発明（請求項１〜請求項８）において、通報用電話端末は、公衆電話回線と有線で接続される電話端末を利用してもよいが、より好ましくは、請求項９に記載のように、通報用電話端末を、無線電話回線を介して外部電話端末との間で通信を行う無線電話端末にて構成するとよい。
【００３５】
つまり、このようにすれば、通報用電話端末（延いては本発明のＣＡＴＶ監視制御装置）を、どこにでも設置することができるようになり、本発明を容易に実現できるようになる。
例えば、上述した電波障害対策用の単方向のＣＡＴＶシステムのように、ヘッドエンドが公衆電話回線から遠く離れた位置に設置されるシステムでは、通報用電話端末を有線で公衆電話回線に接続するようにすると、ＣＡＴＶ監視制御装置をヘッドエンド近くに設置できなくなってしまうが、通報用電話端末に無線電話端末を利用するようにすれば、ＣＡＴＶ監視制御装置をヘッドエンドに組み込んで、ヘッドアンプから出力される伝送信号の異常（換言すればヘッドエンドの異常）を正確に検出することが可能となる。
【００３６】
また、通報用電話端末は、システム管理者側の監視用電話端末に対して、情報を通報できればよく、例えば、所謂携帯電話のメール送信機能を利用して、その情報を文字データにてシステム管理者側の監視用電話端末に送信するようにしてもよいが、このようにすると、システム管理者がシステムの状態を確認するためにＣＡＴＶ監視制御装置の通報用電話端末に電話をかけた際に、一旦、電話を切って、ＣＡＴＶ監視制御装置側からメールが届くのを待たなければならず、確認作業が煩わしくなる。また、このように、システム管理者に対してシステムの状態を表す情報をメールで通報するようにした場合、システム管理者がメールを見るまで、情報を伝えることができず、システム異常時にシステム管理者がその旨を検知するのに時間がかかることがある。
【００３７】
そこで、通報用電話端末には、請求項１０に記載のように、監視用電話端末に送信する情報として音声メッセージが記憶された記憶媒体を設け、通報用電話端末がシステム管理者側の監視用電話端末に情報を送信する際には、その記憶媒体に記憶された音声メッセージを再生するようにするとよい。
【００３８】
つまり、このようにすれば、システム管理者に対して、システムの状態を音声で通報できるようになり、システム管理者は、その情報を速やかに且つ確実に取得することが可能となる。
次に、請求項１１に記載の発明は、上述した請求項１〜請求項１０何れかに記載のＣＡＴＶ監視制御装置を備えたＣＡＴＶシステムに関する。
【００３９】
そして、このＣＡＴＶシステムによれば、ＣＡＴＶ監視制御装置を設けた電子機器（ヘッドアンプや伝送線上に配置される増幅器等）に異常が発生した際に、その旨を速やかにシステム管理者に伝えることができるだけでなく、システム管理者が、その電子機器の動作状態等を極めて簡単に確認することができるようになる。
【００４０】
よって、請求項１１に記載のＣＡＴＶシステムによれば、システム管理者は、ＣＡＴＶシステムを構成している各種電子機器の点検・修理を効率よく行うことができるようになり、ＣＡＴＶシステムを安定して運用することが可能となる。
【００４１】
【発明の実施の形態】
以下に本発明の実施形態を図面と共に説明する。
〔実施例１〕
図１は、本発明が適用された実施例のＣＡＴＶ監視制御装置全体の構成を表すブロック図である。
【００４２】
本実施例のＣＡＴＶ監視制御装置は、例えば、山間部等のテレビ放送電波の届き難い地域の加入者に対してテレビ放送信号を配信する単方向のＣＡＴＶシステムにおいて、ヘッドアンプの動作状態を監視するのに用いられるものである。
つまり、単方向ＣＡＴＶシステムのヘッドエンドは、一般に、ＶＨＦ、ＵＨＦ等のテレビ放送電波（地上波）を受信する受信アンテナ（受信設備）と、受信アンテナからの受信信号を各放送チャンネル毎に分離し、各放送チャンネルの受信信号を、ＶＨＦ−Ｌｏｗチャンネル（チャンネル１〜３）、ＶＨＦ−Ｈｉｇｈチャンネル（チャンネル４〜１２）、ＣＡＴＶチャンネル（所謂Ｃチャンネル）等のシステム専用の放送チャンネルに周波数変換するチャンネル変換装置と、チャンネル変換装置を通過した各放送チャンネルの受信信号を、各々、所望レベルまで増幅する複数のヘッドアンプと、各ヘッドアンプからの出力（各放送チャンネルの受信信号）を混合して伝送線上に送出する混合器とから構成され、山頂等の電波が届き易い場所に設置されることから、本実施例のＣＡＴＶ監視制御装置も、このヘッドエンド近傍の屋外に配置される。
【００４３】
そして、本実施例のＣＡＴＶ監視制御装置では、図１に示すように、ヘッドエンドからＣＡＴＶシステムの伝送線上に送出される伝送信号の一部を、測定入力端子Ｔｉｎを介して取り込み、その信号レベルを、測定装置１０を用いて、各放送チャンネル毎に測定する。尚、測定装置１０は、測定チャンネル設定スイッチ１６により、測定すべき伝送信号の放送チャンネルを外部から設定できるようになっており、測定チャンネル設定スイッチ１６を介して設定された各放送チャンネルの放送信号を順次選局して、その信号レベルを測定するレベル測定部１２と、レベル測定部１２により測定された信号レベルを、各放送チャンネル毎に表示する表示部１４とを備える。
【００４４】
また、ＣＡＴＶ監視制御装置は、測定装置１０に加えて、この測定装置１０により測定された各放送チャンネル毎の信号レベルを取り込み、その信号レベルが予め設定された正規の範囲内にあるか否か（換言すれば信号レベルが正常か否か）を判定したり、当該ＣＡＴＶ監視制御装置自体の動作状態を監視・制御するための制御装置２０と、制御装置２０にて信号レベル或いは当該装置の異常が判定されるか、或いは、異常状態から正常状態への復帰が判定された際に、その旨を、無線電話回線を利用して、システム管理者が所有する特定の監視用電話端末に通報する通報装置３０と、これら各部の電源供給を行う電源装置４０と、当該ＣＡＴＶ監視制御装置を収納した図示しないケースに組み付けられて、ケース内の空気を外部に排出すると共に、外気をケース内に導入するための送風機５０とを備えている。
【００４５】
ここで、まず、制御装置２０は、測定装置１０にて測定された伝送信号の信号レベルを取り込む時間帯（つまりレベル測定時間）を各放送チャンネル毎に設定するためのタイムスイッチ（以下、スイッチをＳＷと記載する）２２と、当該ＣＡＴＶ監視制御装置のケース内の温度を検出する温度センサ２４と、通報装置３０に設けられた後述の音声データ記憶部３６に所望の音声を登録（録音）したり、当該制御装置２０の動作モードを、通常の監視モードから音声録音モード等の他の動作モードに切り換えたりするための手動操作用のキー入力部２６と、監視モード時には、測定装置１０による測定結果や温度センサ２４からの検出信号に基づく後述の監視処理を実行し、音声録音モード時には、使用者が入力した音声をデジタルデータに変換して、通報装置３０に出力することにより、通報装置３０内の音声データ記憶部３６に音声データを登録する音声登録処理を実行する、マイクロコンピュータからなる監視制御部２８とから構成されている。
【００４６】
次に、通報装置３０は、所謂携帯電話としての機能を有し、無線電話用の基地局との間でアンテナ３２ａを介して通信を行う無線電話端末３２と、無線電話端末３２を制御する、マイクロコンピュータからなる通報制御部３４と、通報制御部３４による制御の下に、システム管理者に対してヘッドアンプの異常等を音声で通報できるようにするために、通報用の各種音声データが記憶された音声データ記憶部（例えば、アナログ音声信号を記憶可能なテープ、若しくはデジタル音声信号を記憶可能なメモリ、メモリカード、磁気ディスク、光ディスク、光磁気ディスク等）３６と、電源装置４０からの電源供給が途絶えたとき（つまり停電時）にも無線電話端末３２を用いた通報が行えるように上記各部に電源供給を行うバックアップ電源３８と、を備える。
【００４７】
尚、本実施例においては、通報装置３０に設けられた無線電話端末３２が、本発明の通報用電話端末に相当する。また、測定装置１０と制御装置２０にて実行される後述の監視処理とにより本発明の監視手段が実現され、通報装置３０にて実行される後述の通報処理により本発明の通報制御手段が実現され、同じく通報装置３０にて実行される後述の着信処理により本発明の着信制御手段が実現され、制御装置２０にて実行される後述の監視停止処理により本発明のバッテリ放電監視制御手段が実現される。
【００４８】
一方、電源装置４０は、電源コンセントを介して商用電源（例えば、ＡＣ１００Ｖ）を取り込み、これを整流・平滑化して、上述した測定装置１０、制御装置２０、及び通報装置３０の動作用の直流定電圧を生成する主電源部４２と、当該ＣＡＴＶ監視制御装置のケースに組み付けられた太陽電池からなる副電源部４４とを備える。
【００４９】
そして、主電源部４２から測定装置１０及び通報装置３０に至る電源供給経路上には、制御装置２０により制御可能な常閉型の電源ＳＷ４６が設けられており、制御装置２０は、温度センサ２４を用いて当該ＣＡＴＶ監視制御装置の内部温度を測定し、内部温度が測定装置１０の動作可能温度範囲から外れると、測定装置１０を保護する目的で、電源ＳＷ４６をオフして、測定装置１０の動作を停止させる。
【００５０】
尚、通報装置３６内のバックアップ電源３８には、電源ＳＷ４６を介して主電源部４２に接続されており、バックアップ電源３８は、主電源部４２から電源ＳＷ４６を介して電源が供給されているときには、その供給電力をそのまま通報装置３０に供給すると共にその供給電力により内蔵バッテリを充電し、電源ＳＷ４６がオフされるか、停電によって外部から主電源部４２への電源供給が遮断されることにより、バックアップ電源３８に外部から電源が供給されなくなると、内蔵バッテリに蓄積された電力にて、通報装置３０に対する電源供給を継続する。
【００５１】
また、副電源部４４は、送風機５０を駆動するための電力を生成するのに使用されるものである。即ち、送風機５０には、制御装置２０によりオン・オフ制御される送風機駆動用のスイッチ（送風ＳＷ）４８が設けられており、制御装置２０は、温度センサ２４で検出された装置内の温度が設定温度を超えると、副電源部４４で得られる電源電圧が設定レベル以上か否かを判定して、設定レベル以上であれば、送風機５０に副電源部４４からの出力（電源電圧）を供給して送風機５０を回転させ、逆に、副電源部４４で得られる電源電圧が設定レベルに達していないときには、送風機５０に主電源部４２からの出力電圧を供給して送風機５０を回転させる。
【００５２】
次に、制御装置２０が監視モードで動作しているときに制御装置２０（詳しくは監視制御部２８）において実行される監視処理、及び、通報装置３０（詳しくは通報制御部３４）において実行される通報処理について説明する。
まず、図２は、制御装置２０で実行される監視処理を表すフローチャートである。
【００５３】
この監視処理は、制御装置２０が電源投入によって起動されてから監視制御部２８にて繰り返し実行される処理であり、処理が開始されると、Ｓ１００（Ｓはステップを表す）にて、通報装置３０に対して、当該装置が起動した旨を表す「起動」信号を出力する。尚、通報装置３０側では、この「起動」信号を受けると、後述する通報処理によって、予め登録されているシステム管理者側の監視用電話端末を呼び出し、システム管理者に対して、当該装置が起動した旨を音声で通報する。
【００５４】
次に、Ｓ１１０では、タイムＳＷ２２にて設定されたレベル測定時間に基づき測定装置１０から信号レベルを取り込むべき放送チャンネル（つまり、現在監視対象となっている放送チャンネル）を特定し、その放送チャンネルの信号レベルを測定装置１０から読み出す。そして、続くＳ１２０では、その読み出した各放送チャンネルの信号レベルが予め設定された正規のレベル範囲内にあるか否か（つまり、レベル異常があるか否か）を判断する。
【００５５】
Ｓ１２０にて、レベル異常があると判断された場合には、Ｓ１３０に移行して、レベル異常が判定された伝送信号の放送チャンネル（以下、レベル異常ｃｈと記載する）を、前述したＶＨＦ−Ｌｏｗチャンネル、ＶＨＦ−Ｈｉｇｈチャンネル、ＣＡＴＶチャンネルの、各チャンネルグループに分け、続くＳ１４０にて、システム管理者に対して、Ｓ１３０にてグループ分けされたレベル異常ｃｈを含む各チャンネルグループ毎に、信号レベルの異常を通報させるための「レベル異常」信号を、通報装置３０に出力する。尚、この処理により、通報装置３０は、システム管理者側の監視用電話端末を呼び出し、システム管理者に対して、レベル異常ｃｈを含むチャンネルグループの伝送信号に異常がある旨を通報する。
【００５６】
一方、Ｓ１２０にて、レベル異常はないと判断されると、Ｓ１４５に移行し、ヘッドアンプから出力されている各放送チャンネルの伝送信号は全て正常である旨をシステム管理者に通報させるために、通報装置３０に対して、「レベル正常」信号を出力する。尚、この処理により、通報装置３０は、システム管理者側の監視用電話端末を呼び出し、システム管理者に対して、ヘッドアンプから出力される各放送チャンネルの伝送信号は全て正常である旨を通報する。
【００５７】
こうしてＳ１４０又はＳ１４５の処理が実行されると、今度は、Ｓ１５０に移行し、温度センサ２４により検出された現在の装置内の温度（内部温度）を読み込む。そして、続くＳ１６０では、その読み込んだ内部温度が、送風機５０を駆動すべき温度（送風機駆動温度）以上になっているか否かを判断し、内部温度が送風機駆動温度に達していなければ、Ｓ２００にて、送風ＳＷ４８をオフすることにより、送風機５０の駆動を停止させる。
【００５８】
また、逆に、内部温度が送風機駆動温度に達していれば、Ｓ１７０に移行して、副電源部４４からの出力（電力）は正常か否か（換言すれば、送風機５０を駆動できる程度の電力に達しているか否か）を判断し、副電源部４４の出力が正常であれば、Ｓ１８０に移行して、送風ＳＷ４８を副電源部４４側に切り換え、送風機５０を副電源部４４からの出力により駆動させ、逆に、副電源部４４の出力が正常でなければ、Ｓ１９０に移行して、送風ＳＷ４８を主電源部４２側に切り換え、送風機５０を主電源部４２からの出力により駆動させる。
【００５９】
次に、Ｓ２１０では、Ｓ１５０で読み込んだ内部温度が、予め設定された温度範囲内（詳しくは、測定装置１０の動作可能温度範囲内）にあるか否かを判断する。そして、内部温度がその設定温度範囲内になければ、Ｓ２２０にて、電源ＳＷ４６をオフすることにより、測定装置１０の動作を停止させ、続くＳ２３０にて、その旨をシステム管理者に通報させるために、通報装置３０に対して、「温度異常」信号を出力する。尚、この処理により、通報装置３０は、システム管理者側の監視用電話端末を呼び出し、システム管理者に対して、温度異常のためにレベル監視を中断している旨を通報する。
【００６０】
一方、Ｓ２１０にて、内部温度が設定温度範囲内にあると判断された場合には、Ｓ２４０にて、電源ＳＷ４６をオンすることにより、測定装置１０を動作させ、続くＳ２５０にて、その旨をシステム管理者に通報させるために、通報装置３０に対して、「温度正常」信号を出力する。尚、この処理により、通報装置３０は、システム管理者側の監視用電話端末を呼び出し、システム管理者に対して、レベル監視を再開した旨を通報する。
【００６１】
そして、制御装置２０は、Ｓ２３０又はＳ２５０の処理を終了すると、Ｓ１１０に移行することにより、上記Ｓ１１０〜Ｓ２４０の一連の処理を繰り返し実行する。
次に図３は、通報装置３０（詳しくは通報制御部３４）にて実行される通報処理を表すフローチャートである。
【００６２】
この通報処理は、通報装置３０が電源投入によって起動されてから通報制御部３４にて繰り返し実行される処理であり、処理が開始されると、Ｓ３００にて、制御装置２０からの出力を読み込む。そして、続くＳ３１０では、制御装置２０から、通常動作時に出力される動作信号が出力されているか否かを判断することにより、制御装置２０が正常に動作しているか否かを判断し、制御装置２０が正常動作していれば、続くＳ３２０に移行し、逆に、制御装置２０が正常動作していなければ、Ｓ３６０に移行する。
【００６３】
Ｓ３２０では、制御装置２０から現在出力されている上述の各種状態信号により、システム管理者に通報すべき当該装置の動作状態を識別する。そして、続くＳ３３０では、その識別した動作状態に、システム監視者に対して未通報の情報が含まれているか否かを判断し、動作状態が全てシステム管理者に通報済みであれば、再度Ｓ３００に移行し、逆に、Ｓ３３０にて、制御装置２０から現在出力されている動作状態に、システム管理者に未通報の情報が含まれると判断されると、Ｓ３４０に移行して、記憶媒体に予め登録されている各種音声メッセージの中から、その未通報の動作状態に対応した音声メッセージを選択し、Ｓ３５０に移行する。
【００６４】
尚、Ｓ３４０では、例えば、制御装置２０から「起動」信号が出力されており、その内容が未だシステム管理者に通報されていない場合には、記憶媒体から、「○○システムのＣＡＴＶ監視制御装置が起動しました」というような音声メッセージを選択する。
【００６５】
同様に、制御装置２０から「レベル異常」信号が出力されている場合には、記憶媒体から、レベル異常ｃｈグループを表す音声データ、例えば、「○○システムのＶＨＦ−Ｈｉｇｈチャンネルにレベル低下が発生しました」というような音声メッセージを選択し、制御装置２０から「レベル正常」信号が出力されている場合には、記憶媒体から、「○○システムの伝送信号のレベルは正常に復帰しました」というような音声メッセージを選択する。
【００６６】
また、同様に、制御装置２０から「温度異常」信号が出力されている場合には、記憶媒体から、例えば、「○○システムのＣＡＴＶ監視制御装置は、温度異常により信号レベルの監視動作を停止中です」というような音声メッセージを選択し、制御装置２０から「温度正常」信号が出力されている場合には、記憶媒体から、「○○システムのＣＡＴＶ監視制御装置は、温度が正常に戻ったので、信号レベルの監視動作を再開しました」というような音声メッセージを読み出す。
【００６７】
一方、Ｓ３１０にて、制御装置２０が正常動作していないと判断された場合には、停電により制御装置２０が動作していないものとして、Ｓ３６０に移行する。そして、Ｓ３６０では、システム管理者に対して、現在停電中である旨を既に通報しているか否かを判断し、「停電」を既に通報してあれば、そのままＳ３００に移行し、「停電」を未だ通報してなければ、続くＳ３７０に移行して、記憶媒体に予め登録されている各種音声メッセージの中から、当該装置が現在停電中である旨を通報するための音声メッセージ、例えば、「○○システムのＣＡＴＶ監視制御装置は、停電により監視動作を停止しました」というようなメッセージ、を選択し、Ｓ３５０に移行する。
【００６８】
そして、Ｓ３５０では、無線電話回線を介して、予め登録されているシステム管理者側の監視用電話端末を呼び出し、続くＳ３８０にて、監視用電話端末から着信信号が送信されてきたか否かを判断する。そして、着信信号が送信されてこなければ、Ｓ４１０にて、監視用電話端末を呼び出している時間が設定時間（例えば数十秒〜数分）以上経過したか否かを判断し、設定時間経過していなければ、再度Ｓ３８０に移行することにより、監視用電話端末から着信信号が送信されてくるのを待つ。
【００６９】
尚、Ｓ４１０の判定処理を行うに当たっては、タイマ（ソフトウェアタイマ等）を利用して監視用電話端末の呼出時間を計時するようにしてもよく、或いは、監視用電話端末を呼び出す呼出音の数をカウントすることにより呼出時間を計時（カウント）するようにしてもよい。
【００７０】
次に、Ｓ３８０にて、監視用電話端末から着信信号が送信されてきたと判断されると、続くＳ３９０に移行して、Ｓ３４０又はＳ３７０で選択した音声メッセージを再生することにより、監視用電話端末に音声メッセージを送信する。この結果、システム管理者は、その再生した音声メッセージにより、伝送信号のレベル低下や伝送信号の正常レベルへの復帰、或いは、当該ＣＡＴＶ監視制御装置の動作状態の変化を知ることができ、必要に応じて、当該ＣＡＴＶ監視制御装置が設置されたヘッドエンドの点検・修理を行うことができる。
【００７１】
また、Ｓ３９０にて、音声メッセージを再生した後は、続くＳ４００にて、その再生した音声メッセージに対応する動作状態を通報済みであるとしてメモリに記憶し、続くＳ４２０にて、Ｓ３５０で監視用電話端末を呼び出すために接続した電話回線を遮断し、再度Ｓ３００に移行する。尚、Ｓ４２０の処理は、Ｓ４１０にて監視用電話端末の呼出時間が設定時間に達したと判断された際にも実行される。
【００７２】
以上のように、本実施例のＣＡＴＶ監視制御装置においては、ヘッドエンドからＣＡＴＶシステムの伝送線上に送出される伝送信号の信号レベルを、各放送チャンネル毎に測定し、信号レベルが正規のレベルから外れたときや、正規のレベルに復帰したときには、その旨を、無線電話回線を利用して、システム管理者に通報する。このため、システム管理者は、ＣＡＴＶ監視制御装置から監視用電話端末に通報されてくる情報に基づき、ヘッドエンド（ヘッドアンプや受信設備）の点検・修理を速やかに行うべきか否かを適切に判断できるようになり、ＣＡＴＶシステムのメンテナンスを最適に行うことができる。
【００７３】
また、本実施例のＣＡＴＶ監視制御装置は、ヘッドエンドから出力される伝送信号の信号レベルだけでなく、自己の動作状態をも監視し、停電若しくは温度異常によって当該装置が通常の監視動作をできなくなった場合や、正常動作に復帰した場合にも、その旨を、無線電話回線を利用して、システム管理者に通報する。このため、システム管理者は、ヘッドアンプから出力される伝送信号の状態を把握できるだけでなく、ＣＡＴＶ監視制御装置自体の状態をも把握することができるようになり、ＣＡＴＶシステムの動作状況をより適切に判断することができる。
【００７４】
また、本実施例のＣＡＴＶ監視制御装置は、システム管理者側の監視用電話端末に対する各種通報を、音声で行う。このため、システム管理者は、その通報を確実に受け取ることができる。また、システム管理者は、音声メッセージを耳で聞けばよいので、通報内容を極めて簡単に把握することができる。
【００７５】
ところで、上述した各処理は、ヘッドアンプ及びＣＡＴＶ監視制御装置の状態を、ＣＡＴＶ監視制御装置側からシステム管理者側の監視用電話端末へと一方的に通報する処理であるため、この処理だけでは、システム管理者が必要に応じてＣＡＴＶシステムの状態を確認することができない。
【００７６】
そこで、本実施例のＣＡＴＶ監視制御装置は、システム管理者が、監視用電話端末を利用して通報装置３０に所望の情報を要求することで、ＣＡＴＶシステムの状態を確認したり、更には、通報装置３０自体を遠隔操作したりできるようにされている。
【００７７】
以下、このために通報装置３０（詳しくは通報制御部３４）において実行される着信処理、及び、この着信処理の結果、制御装置２０（詳しくは監視制御部２８）にて実行される監視停止処理について説明する。
まず、図４は、通報装置３０にて実行される着信処理を表すフローチャートである。
【００７８】
この着信処理は、通報装置３０を構成している無線電話端末３２が外部の電話端末から呼び出しを受けた際に実行される処理であり、処理が開始されると、Ｓ５００にて、電話回線を接続し、外部電話端末に対して、識別コードを要求する。尚、この要求は、例えば、「暗証番号を入力して下さい」というような音声メッセージで行われる。
【００７９】
そして、通報装置３０に電話をかけた者がシステム管理者であれば、システム管理者は、このメッセージに従い外部電話端末を操作して暗証番号を入力し、外部電話端末から通報装置３０には、暗証番号に対応したトーン信号が送信されてくるので、続くＳ５１０では、このトーン信号から識別コード（暗証番号）を認識し、この識別コードが予め設定されたシステム管理者のものであるか否かを判定する。
【００８０】
尚、本実施例では、通報装置３０に電話をかけた者がシステム管理者であるかどうかを、システム管理者が外部電話装置を操作することにより送信してくるトーン信号（暗証番号）で識別するようにしているが、外部電話端末から送信されてくる電話番号から、外部電話端末がシステム管理者側の監視用電話端末であるか否かを判断するようにしてもよい。そして、本実施例では、このＳ５００及びＳ５１０の処理が、本発明の電話端末判定手段として機能する。
【００８１】
次に、Ｓ５１０にて、外部電話端末から予め登録された識別コードを取得できなかったと判断されると、Ｓ５２０に移行して、当該ＣＡＴＶ監視制御装置を遠隔操作できない旨を表す操作不許可メッセージを外部電話端末に送信した後、Ｓ６９０にて電話回線を遮断し、当該着信処理を終了する。
【００８２】
一方、Ｓ５１０にて、外部電話端末から正式な識別コードを取得できた（識別コードＯＫ）と判断された場合には、通報装置３０を呼び出した外部電話端末はシステム管理者側の監視用電話端末であるとして、Ｓ５３０に移行し、操作許可メッセージを外部電話端末に送信する。
【００８３】
尚、操作不許可メッセージは、例えば、「認証できません」といった音声メッセージであっても、「ブー」といった所定のブザー音であってもよい。また、操作許可メッセージも同様に、例えば、「認証しました。制御コードを入力して下さい」といった音声メッセージであっても、「ピィ」といった所定のブザー音であってもよい。
【００８４】
次に、Ｓ５３０にて操作許可メッセージを送信すると、システム管理者は、外部電話端末（この場合監視用電話端末）を操作することにより、操作指令のために予め設定された制御コードを入力し、監視用電話端末から通報装置３０には、その制御コードに対応したトーン信号が送信されてくるので、続くＳ５４０では、監視用電話端末から制御コードを表すトーン信号が送信されてきた否か（換言すれば操作指令が入力されたか否か）を判断する。
【００８５】
そして、操作指令が入力されていなければ、続くＳ５５０にて、操作許可メッセージ送信後、所定時間（例えば１分）が経過したか否かを判断し、所定時間経過していなければ、再度Ｓ５４０に移行することにより、操作指令が入力されるのを待ち、操作許可メッセージ送信後、所定時間が経過した場合には、システム管理者からＣＡＴＶ監視制御装置に対する要求はなかったとして、Ｓ６９０にて電話回線を遮断し、当該着信処理を終了する。
【００８６】
一方、Ｓ５４０にて、操作指令が入力されたと判断されると、続くＳ５６０にて、受信した制御コードに基づきシステム管理者からの指令内容を識別する。本実施例では、制御コードとして、上述の通報処理でシステム管理者側の監視用電話端末に送信した最新の情報（音声メッセージ）を再度通報させる送信指令と、制御装置２０をリセットして再起動させる再起動指令と、バックアップ電源３８の内蔵バッテリの容量を確認する容量確認指令との３種類の指令に対応する３種類の制御コードが予め設定されており、Ｓ５６０では、受信した制御コードが、これら各指令の何れに対応する制御コードであるかを判定する。尚、このＳ５６０の処理は、本発明の着信制御手段における指令内容識別手段に相当する。
【００８７】
次に、Ｓ５７０では、Ｓ５６０にて識別された指令内容が情報の送信指令であり、通報処理で前回通報した情報（音声メッセージ）を再送信するか否かを判断する。
そして、Ｓ５７０にて、システム管理者側からの指令内容が情報の送信指令であると判断された場合には、Ｓ５８０に移行して、通報処理のＳ４００で通報済みとしてメモリに記憶した動作状態の中から最新の動作状態を読み込み、Ｓ５９０にて、記憶媒体に予め登録されている各種音声メッセージの中から、その動作状態に対応した音声メッセージを選択し、Ｓ６００にて、その音声メッセージを再生することにより、監視用電話端末に音声メッセージを送信する。この結果、システム管理者は、その再生した音声メッセージにより、当該ＣＡＴＶ監視制御装置の現在の動作状態を検知（若しくは再確認）することができる。尚、上記Ｓ５８０〜Ｓ６００の処理は、本発明の着信制御手段における情報送信手段に相当する。
【００８８】
一方、Ｓ５７０にて、システム管理者側からの指令内容が情報の送信指令ではないと判断された場合には、Ｓ６３０に移行して、システム管理者側からの指令内容はバッテリの容量確認指令であるか否かを判断する。そして、Ｓ６３０にて、システム管理者側からの指令内容が容量確認指令であると判断されると、Ｓ６４０に移行し、制御装置２０に対して、電源ＳＷ４６をオフして当該ＣＡＴＶ監視制御装置による監視動作を停止させる監視停止指令を出力する。そして、続くＳ６５０では、システム管理者側の監視用電話端末に対して指令を受け付けた旨を表す待機メッセージを送信し、Ｓ６８０に移行する。
【００８９】
尚、Ｓ６４０の処理は、制御装置２０に監視停止指令を出力することで、制御装置２０に対して電源ＳＷ４６を強制的にオフさせるための処理であり、本発明の着信制御手段におけるバッテリ給電遮断手段に相当する。また、制御装置２０は、通報装置３０から監視停止指令を受けると、図５に示す監視停止処理を実行するが、この処理については後述する。
【００９０】
また次に、Ｓ６３０にて、システム管理者側からの指令内容が容量確認指令ではないと判断された場合には、Ｓ６６０に移行して、システム管理者側からの指令内容は制御装置２０の再起動指令であるか否かを判断する。そして、Ｓ６６０にて、システム管理者側からの指令内容が再起動指令であると判断されると、Ｓ６７０に移行して、制御装置２０を構成しているマイクロコンピュータにリセット信号を出力することにより、制御装置２０をリセット（再起動）させ、続くＳ６５０にて、システム管理者側の監視用電話端末に対して指令を受け付けた旨を表す待機メッセージを送信した後、Ｓ６８０に移行する。
【００９１】
尚、Ｓ６７０の処理は、本発明の着信制御手段における再起動手段に相当する。そして、このＳ６７０の処理実行後は、制御装置２０が再起動されるので、システム管理者は、制御装置２０を構成しているマイクロコンピュータが暴走してＣＡＴＶ監視制御装置から情報を得られなくなったような場合に、監視用電話端末を利用してＣＡＴＶ監視制御装置に再起動指令を送信することにより、遠隔操作で制御装置２０を初期化し、ＣＡＴＶ監視制御装置を正常動作に復帰させることができる。
【００９２】
また、制御装置２０は、起動直後に上述のＳ１００の処理を実行することにより、通報装置３０に対して当該装置が起動した旨を表す「起動」信号を出力することから、通報装置３０から監視用電話端末には、当該装置が起動した旨を表す音声メッセージが送信される。このため、システム管理者は、ＣＡＴＶ監視制御装置に再起動指令を送信した後、制御装置２０が実際にリセットされて再起動した旨を確認できる。
【００９３】
次に、Ｓ６００、Ｓ６５０でのメッセージの再生処理が終了するか、或いは、Ｓ６６０にてシステム管理者側からの指令内容が再起動指令ではないと判断された場合（つまりシステム管理者側からの指令内容を識別できなかった場合）には、Ｓ６８０に移行して、システム管理者側の監視用電話端末が電話回線を遮断したか否か（換言すればシステム管理者が電話を切ったか否か）を判断する。
【００９４】
そして、システム管理者が電話を切っていなければ、再度Ｓ５３０に移行して、Ｓ５３０移行の処理を再度実行し、逆に、Ｓ６８０にて、システム管理者が電話を切ったと判断されると、Ｓ６９０に移行して、通報装置３０側でも電話回線を遮断して、着信処理を終了する。
【００９５】
次に、上記Ｓ６４０の処理によって通報装置３０が監視停止指令を出力した際に、制御装置２０（詳しくは監視制御部２８）にて実行される監視停止処理について説明する。
図５に示すように、この監視停止処理では、まず、Ｓ７１０にて、電源ＳＷ４６をオフさせる。すると、外部電源装置から主電源部４２を介してバックアップ電源３８に供給される電力が遮断されるので、バックアップ電源３８から通報装置３０には、バックアップ電源３８の内蔵バッテリから電源供給がなされることになり、その後は、内蔵バッテリの放電が継続される。そして、この放電により、バックアップ電源３８から通報装置３０に対して動作用の電力を供給できなくなると、通報装置３０は、動作を停止する。
【００９６】
そこで、続くＳ７２０では、通報装置３０から制御装置２０への出力信号を監視することにより、通報装置３０が動作を停止したか否かを判断することにより、通報装置３０が動作を停止するのを待つ。そして、Ｓ７２０にて、通報装置３０が動作を停止したと判断されると（換言すれば、バックアップ電源３８の内蔵バッテリが通報装置３０を駆動できなくなるまで放電されると）、続くＳ７３０に移行して、電源ＳＷ４６をオンさせ、通報装置３０を通常動作に復帰させる。
【００９７】
尚、Ｓ７１０で電源ＳＷ４６をオフしてからＳ７３０で電源ＳＷ４６をオンするまでの間は、測定装置１０への電源供給も遮断され、この間は、当該ＣＡＴＶ監視制御装置による監視動作が停止状態となる。
こうして、Ｓ７３０にて、電源ＳＷ４６をオンさせ、通報装置３０を通常動作に復帰させると、今度は、Ｓ７４０に移行し、上述したＳ１００と同様、通報装置３０に対して、当該装置が起動した旨を表す「起動」信号を出力し、当該処理を終了する。この結果、通報装置３０側では、上述した通報処理によって、管理者側の監視用電話端末を呼び出し、システム管理者に対して、当該装置が起動した旨を報知することになる。
【００９８】
従って、システム管理者は、監視用電話端末を利用してＣＡＴＶ監視制御装置にバッテリの容量確認指令を送信した後、ＣＡＴＶ監視制御装置から起動した旨を表す音声メッセージが届くまでの時間を計時することにより、バックアップ電源３８の内蔵バッテリにより通報装置３０を駆動できる時間、換言すれば、内蔵バッテリの容量を確認することができ、内蔵バッテリの交換時期等を予測できる。
【００９９】
以上説明したように、本実施例のＣＡＴＶ監視制御装置は、ヘッドアンプ及びＣＡＴＶ監視制御装置の状態をシステム管理者側の監視用電話端末へ一方的に通報するだけでなく、システム管理者側から監視用電話端末を利用して送信されてくる指令に従い、ヘッドアンプ及びＣＡＴＶ監視制御装置の状態の再送信、制御装置２０の再起動、バックアップ電源３８の内蔵バッテリの強制放電を行う。また、制御装置２０の再起動後は、その旨を監視用電話端末に通報し、内蔵バッテリの放電後はバックアップ電源３８への給電を再開することで通報装置３０を正常動作に復帰させ、その旨を監視用電話端末に通報する。
【０１００】
従って、本実施例のＣＡＴＶ監視制御装置によれば、システム管理者は、ヘッドアンプ及びＣＡＴＶ監視制御装置の状態をいつでも確認することができるし、制御装置２０の再起動やバックアップ電源３８のバッテリチェックを、監視用電話端末を利用した遠隔操作で簡単に行うことができる。よって、本実施例のＣＡＴＶ監視制御装置によれば、システム管理者にとって、ＣＡＴＶシステムの管理を簡単にしかも効率よく行うことができる最適なＣＡＴＶ監視制御装置となる。
【０１０１】
以上、本発明の一実施例について説明したが、本発明は、上記実施例に限定されるものではなく、種々の態様を採ることができる。
例えば、上記実施例では、通報処理（図３）においてシステム管理者側の監視用電話端末を呼び出した際に、呼出時間が設定時間以上経過しても監視用電話端末から着信信号が送信されてこないときには、そのまま電話回線を遮断するようにしていることから、メッセージを送信するために監視用電話端末を呼び出してもシステム管理者が電話にでなければ、その後、システム管理者が電話にでてメッセージを送信できるまで、監視用電話端末を呼び出すＳ３５０以降の処理が何度も実行されることになる。
【０１０２】
従って、上記実施例において、システム管理者が一時的に監視用電話端末から離れたような場合には、監視用電話端末を再度呼び出すことによって、システム管理者が電話にでることになるので、問題はないが、例えば、システム管理者が呼出音を確認しても何等かの理由で電話に出られない状態であるとか、或いは、システム管理者が故意に監視用電話端末の電源を落としているような場合には、監視用電話端末を呼び出す処理が、長時間の間、繰り返し実行されることになり、監視用電話端末の呼出処理が無駄であるばかりか、場合によっては、システム管理者に対して不快感を与えてしまうことが考えられる。
【０１０３】
このため、上記実施例においては、システム管理者が電話に出ない場合に監視用電話端末を呼び出す回数（リトライ回数）を制限して、リトライ回数が所定回に達した際には、監視用電話端末を呼び出すのを禁止するようにし、その後、異常内容が変化して監視用電話端末を呼び出すか、或いは、システム管理者側から呼び出しがあって、管理者用電話端末が電話回線を介して通報装置３０に接続された際に、過去にメッセージを通報できなかった旨を表す通報不可情報を、例えば、「○月×日△時頃通報したが応答がありませんでした」というようなメッセージ、若しくは、「ピッピッピー」というような予め設定された電子音、若しくは、これら電子音とメッセージの組み合わせで、システム管理者に伝えるようにしてもよい。
【０１０４】
そして、このような通報動作を実現するには、通報装置３０で実行される通報処理（図３）及び着信処理（図４）の一部を、図６及び図７に示すように変更すればよい。
即ち、図６に示した通報処理では、Ｓ４２０にて電話回線を遮断すると、続くＳ４３０に移行し、上述したＳ３８０〜Ｓ４１０の処理を実行することにより、管理用電話端末に対して所定のメッセージを送信できたか否か（通報が完了したか否か）を判断し、通報が完了していなければ、Ｓ４４０にて、管理用電話端末を所定回以上呼び出したか否かを判定する。
【０１０５】
そして、管理用電話端末を所定回以上呼び出していなければ（換言すれば、上述したリトライ回数が制限値に達していなければ）、Ｓ３５０に移行して、Ｓ３５０以降の処理を再度実行し、逆に、リトライ回数が制限値に達していれば、Ｓ４５０にて、今回管理用電話端末に送信する予定であった音声メッセージに対応する動作状態を、通報不可内容として記憶し、続くＳ４６０にて、通報不可フラグをセットした後、Ｓ３００に移行する。また、Ｓ４３０にて、通報が完了したと判断された場合には、Ｓ４７０にて、通報不可フラグをリセットして、Ｓ３００に移行する。
【０１０６】
また、図６に示した通報処理において、Ｓ３００にて制御装置２０からの出力を読み込んでからＳ３４０若しくはＳ３７０にて通報用の音声メッセージを選択するまでの処理は図３に示した通報処理と基本的に同じであるが、Ｓ３３０若しくはＳ３６０にて、通報すべきであると識別した動作状態若しくは停電状態がシステム監視者に既に通報した内容であるか否かを判断する際には、Ｓ４００にて記憶した通報内容（実際に通報した動作状態）だけでなく、Ｓ４５０にて記憶した通報不可内容についても、既に通報した動作状態であると判断する。
【０１０７】
この結果、管理用電話端末を所定回呼び出してもシステム管理者が電話にでなかったときの通報内容の再通報は禁止されることになり、その後は、当該装置の動作状態が更に変化したときにだけ、Ｓ３４０若しくはＳ３７０の処理が実行されることになる。
【０１０８】
また、Ｓ３４０若しくはＳ３７０の処理が実行されて、管理用電話端末に送信すべき新たな音声メッセージが選択されると、Ｓ３４２で、通報不可フラグがセットされているかリセットされているかを判断する。そして、通報不可フラグがリセットされていれば、過去に通報すべきであると判断された全ての動作状態は通報済みであることから、そのままＳ３５０に移行して、Ｓ３５０以降の音声メッセージ送信のための処理（Ｓ３８０〜Ｓ４１０）を実行し、逆に、通報不可フラグがセットされていれば、過去に通報すべきであると判断した音声メッセージは、システム管理者が電話にでないことによって、未だ通報できていないことから、Ｓ３４０に移行して、Ｓ３４０若しくはＳ３７０で選択した音声メッセージ（選択メッセージ）に、過去にメッセージを通報できなかった旨を表す上述の通報不可情報を付加した後、Ｓ３５０に移行する。
【０１０９】
この結果、Ｓ３５０以降の処理で、システム管理者が管理用電話端末の受話器をとると（換言すれば電話にでると）、過去にメッセージを送信できなかった旨を表す通報不可情報（メッセージ若しくは電子音若しくはこれらの組み合わせ）がシステム管理者に送信されることになり、システム管理者は、以前の通報を知ることができるようになる。
【０１１０】
次に、図７に示す着信処理では、Ｓ５００にて、外部電話端末に対して識別コードを要求し、Ｓ５１０にて、外部電話装置から送信されてきた暗証番号から、外部電話端末がシステム管理者側の監視用電話端末であると判断された際に、Ｓ５１２を実行することにより、現在通報不可フラグがセットされているかリセットされているかを判断する。
【０１１１】
そして、通報不可フラグがリセットされていれば、過去に通報すべきであると判断された全ての動作状態は通報済みであることから、そのままＳ５３０に移行して、上述したＳ５３０以降の処理を実行し、逆に、通報不可フラグがセットされていれば、過去に通報すべきであると判断した音声メッセージは、システム管理者が電話にでないことによって、未だ通報できていないことから、Ｓ５１４に移行して、過去にメッセージを通報できなかった旨を表す上述の通報不可情報を送信し、続くＳ５１６にて、通報不可フラグをリセットした後、Ｓ５３０に移行して、上述したＳ５３０以降の処理を実行する。
【０１１２】
この結果、システム管理者が当該装置に電話をかけてきた際にも、過去に通報できなかった音声メッセージがあれば、その旨をシステム管理者に報知できることになる。また、着信処理で通報不可情報を送信した際には、通報不可フラグがリセットされるので、その後の通報処理によって、今回送信した通報不可情報が再度送信されることもない。
【０１１３】
以上のように、通報装置３０にて実行される通報処理及び着信処理を図６及び図７に示すように変更すれば、システム管理者側の管理用電話端末を呼び出すリトライ回数を制限して、管理用電話端末の不必要な呼び出しを防止することができると共に、管理用電話端末を呼び出した際にシステム管理者が電話にでることができない場合に、管理用電話端末の呼び出しを何度も行うことによって、システム管理者に不快感を与えてしまうのを防止できる。
【０１１４】
また、システム管理者が電話にでることができなかった場合でも、その後、通報装置３０とシステム管理者側の管理用電話端末とが接続された際に、その旨を表す通報不可情報をシステム管理者に送信できるので、システム管理者は、その通報不可情報から過去に通報があったことを知ることができる。なお、この場合、通報不可情報として、通報した日時に加えて、そのとき通報する予定であったメッセージについても送信するようにすれば、システム管理者に過去の状態を報告できるので、システム管理者は、より最適なシステム管理を行うことができるようになる。
【０１１５】
また次に、上記実施例では、システム管理者が、監視用電話端末を介して、当該装置にバッテリの容量確認指令を送信した際、電源ＳＷ４６をオフすることで、バックアップ電源３８及び測定装置１０への電源供給を遮断するものとして説明したが、例えば、図８に示すように、主電源部４２からバックアップ電源３８への電源供給ラインと、主電源部４２から測定装置１０への電源供給ラインとに、夫々、電源ＳＷ４６ａ，４６ｂを設け、システム管理者が当該装置にバッテリの容量確認指令を送信した際には、電源ＳＷ４６ａだけをオフすることにより、バックアップ電源３８への電源供給のみを遮断するようにしてもよい。
【０１１６】
そして、この場合、バッテリの容量確認中には、制御装置２０だけでなく、測定装置１０も通常動作できることから、制御装置２０では、図５に示した監視停止処理によって、バッテリの容量確認指令に従い電源ＳＷ４６ａをオフした後（Ｓ７１０）、通報装置３０が動作を停止するまでの待機期間中（Ｓ７２０を繰り返し実行しているとき）にも、図２に示した監視処理を別途実行し、この監視処理にて装置の異常を判定したときには、電源ＳＷ４６ａをオンして、通報装置３０を通常動作させるようにするとよい。
【０１１７】
このようにすれば、バッテリの容量確認中にも、測定装置１０を用いた監視を継続して、異常時には、その旨をシステム管理者に速やかに報知することができるようになる。尚、この場合の異常通報時には、バッテリの容量確認を中断した旨を表すメッセージも送信することが好ましい。
【０１１８】
一方、上記実施例では、単方向のＣＡＴＶシステムに本発明のＣＡＴＶ監視制御装置を適用した場合について説明したが、本発明のＣＡＴＶ監視制御装置は、所謂都市型システムである双方向のＣＡＴＶシステムにも同様に適用できる。そして、双方向ＣＡＴＶシステムでは、ヘッドアンプの異常（詳しくはヘッドアンプから各放送チャンネル毎に出力される伝送信号の異常）だけでなく、上り方向の伝送信号を利用して、伝送線上に設けられた増幅器等の伝送機器の動作状態を監視できるので、双方向ＣＡＴＶシステム用のＣＡＴＶ監視制御装置に本発明を適用すれば、システム管理者は、監視用電話端末を利用して、ヘッドアンプの状態に加えて、伝送線上に配置された各種伝送機器の状態についても確認できることになる。
【０１１９】
また、上記実施例では、制御装置２０が、伝送信号のレベルや当該装置の動作状態を判定して、その判定結果を連続的に出力し、通報装置３０が、その出力状態に従い、未通報の音声メッセージを特定して、システム管理者に通報し、更に、システム管理者側の監視用電話端末からの要求に対する応答は、電源ＳＷ４６の駆動を除いて、全て通報装置３０が実行するものとして説明したが、通報装置３０を単なる携帯電話にて構成することで、システム管理者側の監視用電話端末との間の中継装置として利用し、通報用の音声メッセージや音声メッセージの送信の要否、或いは、システム管理者側の監視用電話端末からの要求に対する処理は、全て、制御装置２０側で集中して行うようにしてもよい。但しこの場合には、バックアップ電源３８から制御装置２０に電源供給を行うようにする必要はある。
〔実施例２〕
次に、別形態のＣＡＴＶ監視制御装置について説明する。
【０１２０】
実施例１で詳述したＣＡＴＶ監視制御装置において、着信処理（図４参照）の際に、無線電話端末３２に電話をかけた者がシステム管理者か否かの判定は、無線電話端末３２に電話をかけた者が操作する電話端末により発信される、トーン信号から識別コード（暗証番号）を認識することにより行った。また、識別コードの認識後も、システム管理者が操作する電話端末により発信される、トーン信号から制御コードを認識し、バッテリの容量確認、制御装置２０の再起動等を行った。
【０１２１】
しかしながら、一般に使用されている電話端末には、トーン信号が発信できないものも多数存在するので、システム管理者が使用する電話端末によっては、前述の着信処理（図４参照）を実施できないことも考えられる。そこで、トーン信号を発信することができない電話端末であっても、着信処理を実施できるようにしたものが、以下に詳述する実施例２のＣＡＴＶ監視制御装置である。
【０１２２】
ここで、実施例１で詳述したＣＡＴＶ監視制御装置と、本実施例（実施例２）のＣＡＴＶ監視制御装置とは、通報装置３０にて実行される着信処理（図４のフローチャート）が異なるのみで、その他の構成は同様である。従って、本実施例のＣＡＴＶ監視制御装置が実施例１のＣＡＴＶ監視制御装置と同様の箇所については、同一の符号を付して説明を省略し、異なる箇所のみについて詳述する。
【０１２３】
本実施例（実施例２）における着信処理について、図９を用いて説明する。尚、図９は通報装置３０にて実行される着信処理を表すフローチャートである。
図９に示す着信処理は、Ｓ８００にて、通報装置３０を構成している無線電話端末３２が外部の電話端末から呼び出し（コール）を受けたか否かを判定する。外部の電話端末から呼び出しを受けていないと判定すると、Ｓ８００を繰り返し、外部の電話端末から呼び出しを受けたと判定すると、Ｓ８１０に移行する。
【０１２４】
Ｓ８１０では、外部の電話端末に接続せずに、無線電話端末３２が呼び出されるコール時間を監視する。そして、この呼び出しが終了すると、Ｓ８２０に移行し、コール時間が許容範囲内であったか否かを判定する。
Ｓ８２０にて、コール時間が許容範囲内ではないと判定すると、Ｓ８００に戻り、コール時間が許容範囲内であると判定すると、Ｓ８３０に移行する。
【０１２５】
尚、Ｓ８２０の処理の詳細は、後にまとめて詳述するため、ここでの説明は省略する。
Ｓ８３０では、Ｓ８１０にて行ったコール時間の監視が終了してから、一定時間経過したか否かを判定し、一定時間（例えば、３分＋Ｓ８４０で設定されているコール時間）経過したと判定すると、Ｓ８００に戻り、一定時間経過していないと判定すると、Ｓ８４０に移行する。
【０１２６】
次に、Ｓ８４０〜Ｓ８７０の処理は、Ｓ８００〜Ｓ８３０の処理の繰り返しであって、Ｓ８４０では、通報装置３０を構成している無線電話端末３２が外部の電話端末から呼び出しを受けたか否かを判定する。
そして、外部の電話端末から呼び出しを受けていないと判定すると、Ｓ８３０に戻り、外部の電話端末から呼び出しを受けたと判定すると、Ｓ８５０に移行する。
【０１２７】
Ｓ８５０では、外部の電話端末に接続せずに、無線電話端末３２が呼び出されるコール時間を監視する。そして、この呼び出しが終了すると、Ｓ８６０に移行し、コール時間が許容範囲内であったか否かを判定する。
Ｓ８６０にて、コール時間が許容範囲内ではないと判定すると、Ｓ８００に戻り、コール時間が許容範囲内であると判定すると、Ｓ８７０に移行する。
【０１２８】
Ｓ８７０では、Ｓ８５０にて行ったコール時間の監視が終了してから、一定時間経過したか否かを判定し、一定時間（例えば、３分＋Ｓ８８０で設定されているコール時間）経過したと判定すると、Ｓ８００に戻り、一定時間経過していないと判定されると、Ｓ８８０に移行する。
【０１２９】
ここで、本実施例（実施例２）におけるＳ８００〜Ｓ８７０の処理が、本発明の電話端末判定手段として機能し、無線電話端末３２に電話をかけた者がシステム管理者か否かの判定を行っている。
また、本実施例（実施例２）において、無線電話端末３２に電話をかけた者がシステム管理者であることを認証するための暗証番号は、４桁の数字で予め設定されており、システム管理者は、無線電話端末３２を呼び出す際の呼び出し回数を目安に暗証番号を認証させればよい。また、４桁の暗証番号を認証する際には、１回目の呼び出しが前の２桁に対応し、２回目の呼び出しが音の２桁に対応している。
【０１３０】
より具体的に暗証番号の認証方法を説明すると、例えば、この暗証番号が「０１０３」であるとすると、システム管理者は、先ず、無線電話端末３２に電話をかけ、呼び出し音（トゥルル…）を１回聞いた直後に電話を切る（Ｓ８００〜Ｓ８１０）。このようにすると、４桁の暗証番号のうち、前の２桁「０１」が認証される（Ｓ８２０）。
【０１３１】
そして、電話を切ってから、一定時間以内に（Ｓ８３０）、再び、無線電話端末３２に電話をかけ、呼び出し音（トゥルル…）を３回聞いた直後に電話を切る（Ｓ８４０〜Ｓ８５０）。このようにすると、４桁の暗証番号のうち、後の２桁「０３」が認証される（Ｓ８６０）。
【０１３２】
ここで、システム管理者は、無線電話端末３２を呼び出す際の呼び出し回数に基づいて暗証番号を認証させるが、実際には、通報装置３０は呼び出し時間（コール時間）に基づいて暗証番号を認証する。また、システム管理者が聞く呼び出し音は、有音部分（１秒間）と無音部分（２秒間）とからなり、何れの部分から呼び出しが始まるかは特定できない。このような事情により、確実に暗証番号の認証を行うために、通報装置３０が監視するコール時間の許容範囲Ｔには一定の幅を持たせ、コール時間の許容範囲Ｔ（Ｓ８２０およびＳ８６０）は、例えば、以下のように設定するとよい。
【０１３３】
Ｔ＝３ｎ±２（ｓｅｃ）
但し、ｎは呼び出し回数（有音部分（１秒間）と無音部分（２秒間）とで１回）である。
例えば、暗証番号「０１０３」を認証させるためには、１回目に無線電話端末３２を呼び出す際には、１〜５秒の間に電話を切り、２回目に無線電話端末３２を呼び出す際には、７〜１１秒の間に電話を切ればよいが、システム管理者としては、この時間を気にすることなく、暗証番号に対応した呼び出し回数だけ呼び出し音を聞いてから電話を切ればよい。
【０１３４】
このようにコール時間の許容範囲Ｔを設定すれば、システム管理者は、コール時間を時計等で計測することなく、確実に暗証番号を認証させることができる。また、Ｓ８３０およびＳ８７０にて、前の呼び出し終了から一定時間経過すると、Ｓ８００に戻るように構成しているので、予期せぬ暗証番号の間違い等により、次に認証させるべき番号が分からなくなり、操作不能に陥ることを防止することができる。
【０１３５】
次に、図９の着信処理において、Ｓ８８０以降の動作を説明する。
Ｓ８８０では、通報装置３０を構成している無線電話端末３２が外部の電話端末から呼び出しを受けたか否かを判定する。外部の電話端末から呼び出しを受けていないと判定すると、Ｓ８７０に戻り、外部の電話端末から呼び出しを受けたと判定すると、Ｓ８９０に移行する。
【０１３６】
Ｓ８９０では、無線電話端末３２が呼び出されるコール時間を監視し、所定時間経過後（例えば１８秒後）、外部の電話端末と電話回線を接続する。
次に、Ｓ９００では、通信時間の監視を開始し、Ｓ９１０に移行し、Ｓ９１０では、音声データ記憶部３６に格納された着信メッセージを再生する。
【０１３７】
この着信メッセージは、例えば、「こちらは○○です」といったようなもので、例えば、「ピーピー」等の音であっても、無線電話端末３２が電話回線に接続されたことが確認できれば何れの音であってもよい。また、このメッセージは、最大１０秒程度であって、２回繰り返して再生される。
【０１３８】
次に、Ｓ９２０に移行し、無線電話端末３２が電話回線に接続されてから２５秒が経過したか否かを判定する。無線電話端末３２が電話回線に接続されてから２５秒が経過していないと判定すると、Ｓ９２０を繰り返し、無線電話端末３２が電話回線に接続されてから２５秒が経過したと判定すると、Ｓ９３０に移行する。
【０１３９】
Ｓ９３０では、既にシステム管理者が電話回線を遮断したか否かを判定し、システム管理者が電話回線を遮断したと判定すれば、Ｓ８００に戻り、着信処理を繰り返す。また、システム管理者が電話回線を遮断していないと判定すれば、Ｓ９４０に移行し、制御装置２０に対して、電源ＳＷ４６をオフして当該ＣＡＴＶ監視制御装置による監視動作を停止させる監視停止指令を出力し、監視停止処理（図５参照）を開始する。尚、Ｓ９４０の処理は、制御装置２０に監視停止指令を出力することで、制御装置２０に対して電源ＳＷ４６を強制的にオフさせるための処理であり、本発明の着信制御手段におけるバッテリ給電遮断手段に相当する。
【０１４０】
次に、Ｓ９５０では、システム管理者側の監視用電話端末に対して指令を受け付けた旨を表す待機メッセージを送信し、Ｓ９６０に移行する。ここでの待機メッセージは、例えば、「バッテリチェックをする場合は、電話をお切り下さい」といったような内容であればよく、最大１０秒のメッセージが２回繰り返して再生される。
【０１４１】
次に、Ｓ９６０では、無線電話端末３２が電話回線に接続されてから５０秒が経過したか否かを判定する。無線電話端末３２が電話回線に接続されてから５０秒が経過していないと判定すると、Ｓ９６０を繰り返し、無線電話端末３２が電話回線に接続されてから５０秒が経過したと判定すると、Ｓ９７０に移行する。
【０１４２】
Ｓ９７０では、既にシステム管理者が電話回線を遮断したか否かを判定し、システム管理者が電話回線を遮断したと判定すれば、Ｓ８００に戻り、着信処理を繰り返す。また、システム管理者が電話回線を遮断していないと判定すれば、Ｓ９８０に移行し、電源ＳＷ４６をオンすることにより、Ｓ９４０にて停止させた当該ＣＡＴＶ監視制御装置による監視動作を再開するように設定する。この際、監視停止処理（図５参照）は、中断されることになる。
【０１４３】
そして、Ｓ９９０に移行し、制御装置２０を構成しているマイクロコンピュータにリセット信号を出力することにより、制御装置２０をリセット（再起動）させる。尚、Ｓ９９０の処理は、本発明の着信制御手段における再起動手段に相当する。
【０１４４】
その後、Ｓ１０００にて、電話回線を遮断し、Ｓ８００からの着信処理を繰り返す。
ここで、制御装置２０をリセットした際（Ｓ９９０）には、メッセージを再生することなく電話回線を遮断（Ｓ１０００）しているが、制御装置２０が再起動すると、通報処理（図３参照）により、システム管理者にその旨を通報するように構成されているので、システム管理者は、制御装置２０が正常にリセットされたか否かを確認することができる。
【０１４５】
このように、本実施例（実施例２）にて詳述したＣＡＴＶ監視制御装置であっても、実施例１のＣＡＴＶ監視制御装置と同様の効果が得られると共に、同様の変形例が考えられる。
更に、本実施例（実施例２）にて詳述したＣＡＴＶ監視制御装置であれば、暗証番号の認証をコール時間にて判定し、本装置（ＣＡＴＶ監視制御装置）のバッテリの容量確認、再起動等の操作は、通信時間に基づいて行うので、トーン信号（識別情報）を送信できない外部電話端末からの操作であっても、通報用電話端末を呼び出した外部電話端末が、システム管理者側の監視用電話端末か否かを確実に判定することができる。
【０１４６】
尚、本実施例（実施例２）において、最大１０秒のメッセージを２回繰り返し再生し、更に、その後の操作をする余裕時間を５秒に設定するために、外部電話端末に接続してから２５秒および５０秒でバッテリの容量確認、および制御装置２０の再起動等を行うように設定したが、特にこのようにする必要はなく、メッセージの再生時間等により、これらの時間を調整してもよい。
【０１４７】
更に、本実施例（実施例２）のＣＡＴＶ監視制御装置と、実施例１のＣＡＴＶ監視制御装置とは、組み合わせることが可能であり、例えば、暗証番号の認証は、呼び出し時間に基づいて行い（図９参照）、外部電話端末と接続してからは、その通信時間、および外部電話端末から発信されるトーン信号の何れを用いても操作されるように構成してもよい。
【０１４８】
上述のようにしても、前述のＣＡＴＶ監視制御装置と同様の効果が得られる。
【図面の簡単な説明】
【図１】実施例のＣＡＴＶ監視制御装置全体の構成を表すブロック図である。
【図２】実施例の制御装置にて実行される監視処理を表すフローチャートである。
【図３】実施例の通報装置にて実行される通報処理を表すフローチャートである。
【図４】実施例の通報装置にて実行される着信処理を表すフローチャートである。
【図５】実施例の制御装置にて実行される監視停止処理を表すフローチャートである。
【図６】図３に示した通報処理の変形例を表すフローチャートである。
【図７】図４に示した着信処理の変形例を表すフローチャートである。
【図８】図１に示したＣＡＴＶ監視制御装置の他の構成例を表すブロック図である。
【図９】実施例２の着信処理を表すフローチャートである。
【符号の説明】
Ｔｉｎ…測定入力端子、１２…レベル測定部、１４…表示部、１６…測定チャンネル設定スイッチ、２０…制御装置、２２…タイムＳＷ、２４…温度センサ、２６…キー入力部、２８…監視制御部、３０…通報装置、３２…無線電話端末、３２ａ…アンテナ、３４…通報制御部、３６…音声データ記憶部、３８…バックアップ電源、４０…電源装置、４２…主電源部、４４…副電源部（太陽電池）、４６，４６ａ，４６ｂ…電源ＳＷ、４８…送風ＳＷ、５０…送風機。
【図１】
2004048666.tif 000003
【図２】
2004048666.tif 000004
【図３】
2004048666.tif 000005
【図４】
2004048666.tif 000006
【図５】
2004048666.tif 000007
【図６】
2004048666.tif 000008
【図７】
2004048666.tif 000009
【図８】
2004048666.tif 000010
【図９】
2004048666.tif 000011